(57)【要約】  端末において、制御部は、上りリンク制御情報に応じて、上りリンク制御チャネルに用いられる系列を決定し、送信部は、上記系列を用いて上りリンク制御情報を送信する。ここで、上記系列は、端末が属するセルを識別するセル識別情報、及び、セルに含まれる少なくとも１つのサブセルに関するサブセル固有情報を用いて算出される。
2019031054.tif 000002
【特許請求の範囲】
【請求項１】
上りリンク制御情報に応じて、上りリンク制御チャネルに用いられる系列を決定する回路と、
前記系列を用いて前記上りリンク制御情報を送信する送信機と、
を具備し、
前記系列は、端末が属するセルを識別するセル識別情報、及び、前記セルに含まれる少なくとも１つのサブセルに関するサブセル固有情報を用いて決定される、
端末。
【請求項２】
前記サブセル固有情報は、前記端末が接続するサブセルを識別する情報、前記端末が通信に使用するビームを識別する情報、及び、前記端末が通信に使用するランダムアクセスリソースを示す情報のうち少なくとも１つを含む、
請求項１に記載の端末。
【請求項３】
前記サブセル固有情報は、前記系列の系列番号のホッピングに用いられる擬似ランダム系列の初期値の算出に使用される、
請求項１に記載の端末。
【請求項４】
前記サブセル固有情報は、前記系列に用いられる巡回シフトパターンのホッピングに用いられる擬似ランダム系列の初期値の算出に使用される、
請求項１に記載の端末。
【請求項５】
前記巡回シフトパターンは、端末毎に異なる、
請求項４に記載の端末。
【請求項６】
上りリンク制御情報に応じて、上りリンク制御チャネルに用いられる系列を決定する回路と、
前記系列を用いて前記上りリンク制御情報を送信する送信機と、
を具備し、
前記上りリンク制御チャネルの１つのリソースブロック内に割り当て可能な前記系列の最大数が制限される、
端末。
【請求項７】
前記１つのリソースブロックは１２サブキャリアで構成され、
前記最大数は８個である、
請求項６に記載の端末。
【請求項８】
前記１つのリソースブロックは１２サブキャリアで構成され、
前記最大数は、前記上りリンク制御情報が１ビットの場合には４個であり、前記上りリンク制御情報が２ビットの場合には８個である、
請求項６に記載の端末。
【請求項９】
上りリンク制御情報に応じて、上りリンク制御チャネルに用いられる系列を決定する回路と、
前記系列を用いて前記上りリンク制御情報を送信する送信機と、
を具備し、
前記上りリンク制御情報には、少なくともACK及びNACKが含まれ、
前記系列に用いられる巡回シフトは、前記ACKに割り当てられる巡回シフトを含む第１領域と、前記NACKに割り当てられる巡回シフトを含む第２領域とに分離される、
端末。
【請求項１０】
前記第１領域に含まれる巡回シフトの数は、前記第２領域に含まれる巡回シフトの数よりも多い、
請求項９に記載の端末。
【請求項１１】
前記第２領域に含まれる巡回シフトの数は、前記第１領域に含まれる巡回シフトの数よりも多い、
請求項９に記載の端末。
【請求項１２】
前記ACKに対する巡回シフトパターンのホッピングは前記第１領域に含まれる巡回シフトを用いて行われ、前記NACKに対する巡回シフトパターンのホッピングは前記第２領域に含まれる巡回シフトを用いて行われる、
請求項９に記載の端末。
【請求項１３】
上りリンク制御情報に応じて、上りリンク制御チャネルに用いられる系列を決定し、
前記系列を用いて前記上りリンク制御情報を送信し、
前記系列は、端末が属するセルを識別するセル識別情報、及び、前記セルに含まれる少なくとも１つのサブセルに関するサブセル固有情報を用いて決定される、
通信方法。
【請求項１４】
上りリンク制御情報に応じて、上りリンク制御チャネルに用いられる系列を決定し、
前記系列を用いて前記上りリンク制御情報を送信し、
前記上りリンク制御チャネルの１つのリソースブロック内に割り当て可能な前記系列の最大数が制限される、
通信方法。
【請求項１５】
上りリンク制御情報に応じて、上りリンク制御チャネルに用いられる系列を決定し、
前記系列を用いて前記上りリンク制御情報を送信し、
前記上りリンク制御情報には、少なくともACK及びNACKが含まれ、
前記系列に用いられる巡回シフトは、前記ACKに割り当てられる巡回シフトを含む第１領域と、前記NACKに割り当てられる巡回シフトを含む第２領域とに分離される、
通信方法。
【発明の詳細な説明】
【技術分野】
【０００１】
本開示は、端末及び通信方法に関する。
【背景技術】
【０００２】
近年のモバイルブロードバンドを利用したサービスの普及に伴い、モバイル通信におけるデータトラフィックは指数関数的に増加を続けており、将来に向けてデータ伝送容量の拡大が急務となっている。また、今後はあらゆる「モノ」がインターネットを介してつながるIoT（Internet of Things）の飛躍的な発展が期待されている。IoTによるサービスの多様化を支えるには、データ伝送容量だけではなく、低遅延性及び通信エリア（カバレッジ）などのさまざまな要件について、飛躍的な高度化が求められる。こうした背景を受けて、第４世代移動通信システム(4G: 4th Generation mobile communication systems)と比較して性能及び機能を大幅に向上する第５世代移動通信システム(5G)の技術開発・標準化が進められている。【０００３】
3GPP（Third Generation Partnership Project）では、5Gの標準化において、LTE（Long Term Evolution）-Advanced（例えば、非特許文献１−３を参照）とは必ずしも後方互換性を持たない新しい無線アクセス技術（NR: New Radio）の技術開発を進めている。【０００４】
NRでは、端末（UE：User Equipment）が上りリンク制御チャネル（PUCCH：Physical Uplink Control Channel)を用いて、下りリンクデータの誤り検出結果を示す応答信号（ACK/NACK：Acknowledgement/Negative Acknowledgment又はHARQ-ACK)、下りリンクのチャネル状態情報（CSI：Channel State Information)、及び、上りリンクの無線リソース割当要求（SR：Scheduling Request)等の上りリンク制御情報（UCI：Uplink Control Information）を基地局（eNG又はgNB）へ送信することが検討されている。【０００５】
また、NRでは、１〜２ビットのUCIをPUCCHに含めて送信することが検討されている。【０００６】
また、NRでは、1スロット内の1シンボル又は2シンボルを用いてPUCCHを送信する「Short PUCCH」と、3シンボル以上（例えば、最小シンボル数を４シンボルとしてもよい）を用いてPUCCHを送信する「Long PUCCH」とがサポートされる。
【先行技術文献】
【非特許文献】
【０００７】
【非特許文献１】3GPP TS 36.211 V13.4.0, "Evolved Universal Terrestrial Radio Access (E-UTRA); Physical channels and modulation (Release 13),"December 2016.
【非特許文献２】3GPP TS 36.212 V13.4.0, “Evolved Universal Terrestrial Radio Access (E-UTRA); Multiplexing and channel coding (Release 13)," December 2016.
【非特許文献３】3GPP TS 36.213 V13.4.0, "Evolved Universal Terrestrial Radio Access (E-UTRA); Physical layer procedures (Release 13),"December 2016.
【非特許文献４】R1-1612228, "Proposal of subcell," Panasonic, RAN1#87, Nov. 2016.
【発明の概要】
【０００８】
しかしながら、１〜２ビットのUCIを含むPUCCHにおいて干渉を制御する方法について十分に検討がなされていない。
【０００９】
本開示の一態様は、１〜２ビットのUCIを含むPUCCHにおいて干渉を適切に制御することができる端末及び通信方法の提供に資する。
【００１０】
本開示の一態様に係る端末は、上りリンク制御情報に応じて、上りリンク制御チャネルに用いられる系列を決定する回路と、前記系列を用いて前記上りリンク制御情報を送信する送信機と、を具備し、前記系列は、端末が属するセルを識別するセル識別情報、及び、前記セルに含まれる少なくとも１つのサブセルに関するサブセル固有情報を用いて決定される。
【００１１】
本開示の一態様に係る端末は、上りリンク制御情報に応じて、上りリンク制御チャネルに用いられる系列を決定する回路と、前記系列を用いて前記上りリンク制御情報を送信する送信機と、を具備し、前記上りリンク制御チャネルの１つのリソースブロック内に割り当て可能な前記系列の最大数が制限される。
【００１２】
本開示の一態様に係る端末は、上りリンク制御情報に応じて、上りリンク制御チャネルに用いられる系列を決定する回路と、前記系列を用いて前記上りリンク制御情報を送信する送信機と、を具備し、前記上りリンク制御情報には、少なくともACK及びNACKが含まれ、前記系列に用いられる巡回シフトは、前記ACKに割り当てられる巡回シフトを含む第１領域と、前記NACKに割り当てられる巡回シフトを含む第２領域とに分離される。
【００１３】
本開示の一態様に係る通信方法は、上りリンク制御情報に応じて、上りリンク制御チャネルに用いられる系列を決定し、前記系列を用いて前記上りリンク制御情報を送信し、前記系列は、端末が属するセルを識別するセル識別情報、及び、前記セルに含まれる少なくとも１つのサブセルに関するサブセル固有情報を用いて決定される。
【００１４】
本開示の一態様に係る通信方法は、上りリンク制御情報に応じて、上りリンク制御チャネルに用いられる系列を決定し、前記系列を用いて前記上りリンク制御情報を送信し、前記上りリンク制御チャネルの１つのリソースブロック内に割り当て可能な前記系列の最大数が制限される。
【００１５】
本開示の一態様に係る通信方法は、上りリンク制御情報に応じて、上りリンク制御チャネルに用いられる系列を決定し、前記系列を用いて前記上りリンク制御情報を送信し、前記上りリンク制御情報には、少なくともACK及びNACKが含まれ、前記系列に用いられる巡回シフトは、前記ACKに割り当てられる巡回シフトを含む第１領域と、前記NACKに割り当てられる巡回シフトを含む第２領域とに分離される。
【００１６】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００１７】
本開示の一態様によれば、１〜２ビットのUCIを含むPUCCHにおいて干渉を適切に制御することができる。
【００１８】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１９】
【図１】図１は、sequence selection方式の一例を示す。
【図２】図２は、実施の形態１に係る端末の一部の構成を示す。
【図３】図３は、実施の形態１に係る基地局の構成を示す。
【図４】図４は、実施の形態１に係る端末の構成を示す。
【図５】図５は、実施の形態１に係る端末の処理を示す。
【図６】図６は、実施の形態１に係るsubcell IDを用いて系列IDを決定する方法の一例を示す。
【図７】図７は、実施の形態１に係るbeam IDを用いて系列IDを決定する方法の一例を示す。
【図８】図８は、実施の形態１に係るランダムアクセスリソースを用いて系列IDを決定する方法の一例を示す。
【図９】図９は、実施の形態２に係る1ビットUCIの巡回シフトパターンの決定例を示す。
【図１０】図１０は、実施の形態２に係る2ビットUCIの巡回シフトパターンの決定例を示す。
【図１１Ａ】図１１Ａは、実施の形態３に係る1ビットUCIの巡回シフトパターンの決定例を示す。
【図１１Ｂ】図１１Ｂは、実施の形態３に係る2ビットUCIの巡回シフトパターンの決定例を示す。
【図１２Ａ】図１２Ａは、実施の形態４に係るUCIのマッピング例を示す。
【図１２Ｂ】図１２Ｂは、実施の形態４に係るUCIのマッピング例を示す。
【図１３】図１３は、実施の形態４に係る1ビットUCIのマッピング例を示す。
【図１４】図１４は、実施の形態４に係る2ビットUCIのマッピング例を示す。
【図１５】図１５は、実施の形態５に係る1ビットUCIのマッピング例を示す。
【図１６】図１６は、実施の形態５に係る2ビットUCIのマッピング例を示す。
【発明を実施するための形態】
【００２０】
以下、本開示の実施の形態について図面を参照して詳細に説明する。
【００２１】
図１に示すように、Short PUCCHでは、1ビット又は2ビットのUCI、及び、SRの有無に基づいて、Short PUCCHの送信に使用される系列を選択する方法（以下、Sequence selection方式と呼ぶ）が検討されている。図１では、ACK/NACK及びSRの有無の組み合わせは、巡回シフト（巡回シフト量）に対応付けられている。例えば、図１に示すように、CAZAC（Constant Amplitude Zero Auto Correlation）符号系列又はCG（Computer Generated）系列の巡回シフトを系列選択に用いることができる。
【００２２】
CAZAC符号系列又はCG系列からなるShort PUCCHを用いる際、異なる端末からそれぞれ送信されるPUCCHに用いられる系列（PUCCH系列と呼ぶこともある）が互いに異なる場合でも、それらの端末のPUCCH送信は完全には直交しないため、系列間の相互相関特性により干渉が生じる。例えば、セル間において異なる系列が割り当てられた場合に生じる干渉は「セル間干渉」となる。
【００２３】
また、異なる端末から送信されるPUCCHに用いられる系列が同じである場合に、それらの端末から送信されるPUCCHに用いられる巡回シフトが互いに異なる場合、それらの端末間でPUCCH送信における時間及び周波数が同期していれば、それらの端末のPUCCH送信は完全に直交する。一方で、端末間の送信タイミングずれ又は周波数選択性フェージングチャネル等による影響がある場合には、各端末から送信されるPUCCHに用いられる系列が同じであり、かつ巡回シフトが異なる場合でも干渉が発生する。
【００２４】
Short PUCCHに対しては、上述した干渉の影響を考慮した方がよい。
【００２５】
ここで、LTEでは、30個のCG系列が定義されている。また、セル毎のPUCCHはセルを識別する識別情報（以下、「セルID」と呼ぶ）によって区別されている。セルIDが異なると、PUCCHに用いられるCG系列が異なる。
【００２６】
また、LTEでは、干渉の影響をランダム化するために、ホッピングパターンに基づく、PUCCH用のCG系列の割り当て又はPUCCH用の巡回シフトパターンの決定が適用されている。セルIDが異なるとホッピングパターンを決定するランダム系列の初期値が異なる。また、LTEでは、PUCCHの信号系列を生成するための仮想的なセルIDを用いて、異なるセル間で同一のセルIDを設定することにより、CoMP（Coordinated Multiple Point transmission and reception）等セル間が同期している場合の干渉制御を行うことができる（例えば、非特許文献１を参照）。
【００２７】
ところで、NRでは、同一セル内に複数のTRP（Transmission and Reception Point)が含まれる場合が想定される。この場合、同一セル内において異なるTRPと通信している端末からそれぞれ送信されるPUCCHに対しては、異なるPUCCHリソース（巡回シフト、時間又は周波数リソース）を用いることにより互いを区別する必要がある。
【００２８】
しかしながら、上述したようなセルIDに基づくPUCCH系列の割り当てでは、異なるTRPと通信している端末のPUCCH送信に必要なPUCCHリソースが増加し、セル内の上りリンクの周波数利用効率が低下してしまう。
【００２９】
また、上述したような仮想的なセルIDを用いて異なるTRPと通信している端末に異なるセルIDを割り当てることにより、セル内のPUCCHリソースを異なるCG系列に分散することもできる。しかしながら、仮想的なセルIDは、初期アクセス完了後に、端末固有の上位レイヤ信号を用いて通知される。このため、初期アクセス段階のPUCCH送信（例えば、message4に対するACK/NACK応答）では、仮想的なセルIDではなく、セルIDに基づくPUCCH系列の割り当てが必要になる。
【００３０】
本開示の一態様では、Short PUCCHを送信する無線通信システムにおいて、干渉の影響を低減できる方法について説明する。
【００３１】
以下、各実施の形態について、詳細に説明する。
【００３２】
（実施の形態１）
［通信システムの概要］
本開示の各実施の形態に係る通信システムは、基地局１００及び端末２００を備える。
【００３３】
図２は、本開示の各実施の形態に係る端末２００の一部の構成を示すブロック図である。図２に示す端末２００において、制御部２０９は、上りリンク制御情報（UCI）に応じて、上りリンク制御チャネル（PUCCH）に用いられる系列（PUCCH系列）を決定し、送信部２１４は、上記系列を用いて上りリンク制御情報を送信する。ここで、上記系列は、端末２００が属するセルを識別するセル識別情報（セルID）、及び、セルに含まれる少なくとも１つのサブセルに関するサブセル固有情報を用いて算出される。
【００３４】
［基地局の構成］
図３は、本開示の実施の形態１に係る基地局１００の構成を示すブロック図である。図３において、基地局１００は、制御部１０１と、データ生成部１０２と、符号化部１０３と、再送制御部１０４と、変調部１０５と、上位制御信号生成部１０６と、符号化部１０７と、変調部１０８と、下り制御信号生成部１０９と、符号化部１１０と、変調部１１１と、信号割当部１１２と、IFFT（Inverse Fast Fourier Transform）部１１３と、送信部１１４と、アンテナ１１５と、受信部１１６と、FFT（Fast Fourier Transform）部１１７と、抽出部１１８と、SR検出部１１９と、PUCCH復調・復号部１２０と、判定部１２１と、を有する。
【００３５】
制御部１０１は、下りリンク信号（例えば、PDSCH：Physical Downlink Shared Channel）に対する無線リソース割当を決定し、下りリンク信号のリソース割当を指示する下りリソース割当情報を下り制御信号生成部１０９及び信号割当部１１２へ出力する。
【００３６】
また、制御部１０１は、下りリンク信号に対するHARQ-ACK信号及びSRの有無に応じたPUCCHリソース（時間、周波数、系列など）割当を決定し、PUCCHリソース割当に関する情報（PUCCHリソース割当情報）を上位制御信号生成部１０６（又は、下り制御信号生成部１０９）、及び、抽出部１１８へ出力する。
【００３７】
このとき、制御部１０１は、PUCCHリソースとして、PUCCHの系列番号又は巡回シフトパターンをそれぞれ決定する。なお、PUCCHリソースの決定方法の詳細については後述する。
【００３８】
データ生成部１０２は、端末２００に対する下りリンクデータを生成し、符号化部１０３へ出力する。
【００３９】
符号化部１０３は、データ生成部１０２から入力される下りリンクデータに対して誤り訂正符号化を行い、符号化後のデータ信号を再送制御部１０４へ出力する。
【００４０】
再送制御部１０４は、初回送信時には、符号化部１０３から入力される符号化後のデータ信号を保持するとともに、変調部１０５へ出力する。また、再送制御部１０４は、後述する判定部１２１から、送信したデータ信号に対するNACKが入力されると、対応する保持データを変調部１０５へ出力する。一方、再送制御部１０４は、判定部１２１から、送信したデータ信号に対するACKが入力されると、対応する保持データを削除する。
【００４１】
変調部１０５は、再送制御部１０４から入力されるデータ信号を変調して、データ変調信号を信号割当部１１２へ出力する。
【００４２】
上位制御信号生成部１０６は、制御部１０１から入力される制御情報（例えば、PUCCHリソース割当情報等）を用いて、制御情報ビット列を生成し、生成した制御情報ビット列を符号化部１０７へ出力する。
【００４３】
符号化部１０７は、上位制御信号生成部１０６から入力される制御情報ビット列に対して誤り訂正符号化を行い、符号化後の制御信号を変調部１０８へ出力する。
【００４４】
変調部１０８は、符号化部１０７から入力される制御信号を変調して、変調後の制御信号を信号割当部１１２へ出力する。
【００４５】
下り制御信号生成部１０９は、制御部１０１から入力される制御情報（例えば、下りリソース割当情報、PUCCHリソース割当情報等）を用いて、下り制御情報ビット列（例えば、DCI：Downlink Control Information）を生成し、生成した制御情報ビット列を符号化部１１０へ出力する。なお、制御情報が複数の端末向けに送信されることもあるため、下り制御信号生成部１０９は、各端末向けの制御情報に、各端末の端末IDを含めてビット列を生成してもよい。
【００４６】
符号化部１１０は、下り制御信号生成部１０９から入力される制御情報ビット列に対して誤り訂正符号化を行い、符号化後の制御信号を変調部１１１へ出力する。
【００４７】
変調部１１１は、符号部１１０から入力される制御信号を変調して、変調後の制御信号を信号割当部１１２へ出力する。
【００４８】
信号割当部１１２は、変調部１０５から入力されるデータ信号を、制御部１０１から入力される下りリソース割当情報に示される無線リソースにマッピングする。また、信号割当部１１２は、変調部１０８又は変調部１１１から入力される制御信号を無線リソースにマッピングする。信号割当部１１２は、信号がマッピングされた下りリンクの信号をIFFT部１１３へ出力する。
【００４９】
IFFT部１１３は、信号割当部１１２から入力される信号に対して、OFDM等の送信波形生成処理を施す。IFFT部１１３は、CP（Cyclic Prefix）を付加するOFDM伝送の場合には、CPを付加する（図示せず）。IFFT部１１３は、生成した送信波形を送信部１１４へ出力する。
【００５０】
送信部１１４は、IFFT部１１３から入力される信号に対してD/A（Digital-to-Analog）変換、アップコンバート等のRF（Radio Frequency）処理を行い、アンテナ１１５を介して端末２００に無線信号を送信する。
【００５１】
受信部１１６は、アンテナ１１５を介して受信された端末２００からの上りリンク信号波形に対して、ダウンコンバート又はA/D（Analog-to-Digital）変換などのRF処理を行い、受信処理後の上りリンク信号波形をFFT部１１７に出力する。
【００５２】
FFT部１１７は、受信部１１６から入力される上りリンク信号波形に対して、時間領域信号を周波数領域信号に変換するFFT処理を施す。FFT部１１７は、FFT処理により得られた周波数領域信号を抽出部１１８へ出力する。
【００５３】
抽出部１１８は、制御部１０１から受け取る情報（PUCCHリソース割当情報等）に基づいて、FFT部１１７から入力される信号から、SR又はHARQ-ACKに対するPUCCHの無線リソース部分を抽出し、抽出した無線リソースの成分をSR検出部１１９及びPUCCH復調・復号部１２０へそれぞれ出力する。
【００５４】
SR検出部１１９は、抽出部１１８から入力される信号に対して電力検出を行い、SRの有無を検出する。また、SR検出部１１９は、SRが有り、かつHARQ-ACKがSRリソースで送信されていることを検出した場合、抽出部１１８から入力される信号をPUCCH復調・復号部１２０へ出力する。
【００５５】
PUCCH復調・復号部１２０は、抽出部１１８又はSR検出部１１９から入力されるPUCCH信号に対して、等化、復調、復号又は電力検出を行い、復号後のビット系列又は電力検出後の信号を判定部１２１へ出力する。
【００５６】
判定部１２１は、PUCCH復調・復号部１２０から入力されるビット系列又は電力検出後の信号に基づいて、端末２００から送信されたHARQ-ACK信号が、送信したデータ信号に対してACK又はNACKのいずれを示しているかを判定する。判定部１２１は、判定結果を再送制御部１０４に出力する。
【００５７】
［端末の構成］
図４は、本開示の実施の形態１に係る端末２００の構成を示すブロック図である。図４０において、端末２００は、アンテナ２０１と、受信部２０２と、FFT部２０３と、抽出部２０４と、下り制御信号復調部２０５と、上位制御信号復調部２０６と、下りデータ信号復調部２０７と、誤り検出部２０８と、制御部２０９と、SR生成部２１０と、HARQ-ACK生成部２１１と、信号割当部２１２と、IFFT部２１３と、送信部２１４と、を有する。
【００５８】
受信部２０２は、アンテナ２０１を介して受信された基地局１００からの下りリンク信号（データ信号及び制御信号）の信号波形に対して、ダウンコンバート又はA/D（Analog-to-Digital）変換などのRF処理を行い、得られる受信信号（ベースバンド信号）をFFT部２０３に出力する。
【００５９】
FFT部２０３は、受信部２０２から入力される信号（時間領域信号）に対して、時間領域信号を周波数領域信号に変換するFFT処理を施す。FFT部２０３は、FFT処理により得られた周波数領域信号を抽出部２０４へ出力する。
【００６０】
抽出部２０４は、制御部２０９から入力される制御情報に基づいて、FFT部２０３から入力される信号から、下り制御信号を抽出し、下り制御信号復調部２０５へ出力する。また、抽出部２０４は、制御部２０９から入力される制御情報に基づいて、上位制御信号及び下りデータ信号を抽出し、上位制御信号を上位制御信号復調部２０６へ出力し、下りデータ信号を下りデータ信号復調部２０７へ出力する。
【００６１】
下り制御信号復調部２０５は、抽出部２０４から入力される下り制御信号をブラインド復号して、自機宛ての制御信号であると判断した場合、当該制御信号を復調して制御部２０９へ出力する。
【００６２】
上位制御信号復調部２０６は、抽出部２０４から入力される上位制御信号を復調し、復調後の上位制御信号を制御部２０９へ出力する。
【００６３】
下りデータ信号復調部２０７は、抽出部２０４から入力される下りデータ信号を復調・復号し、復号後の下りリンクデータを誤り検出部２０８へ出力する。
【００６４】
誤り検出部２０８は、下りデータ信号復調部２０７から入力される下りリンクデータに対して誤り検出を行い、誤り検出結果をHARQ-ACK生成部２１１へ出力する。また、誤り検出部２０８は、誤り検出の結果、誤り無しと判定した下りリンクデータを受信データとして出力する。
【００６５】
制御部２０９は、下り制御信号復調部２０５から入力される制御信号に示される下りリソース割当情報に基づいて、下りデータ信号に対する無線リソース割当を算出し、算出した無線リソース割当を示す情報を抽出部２０４へ出力する。
【００６６】
また、制御部２０９は、上位制御信号復調部２０６から入力される上位制御信号又は下り制御信号復調部２０５から入力される制御信号に示される、SR及びHARQ-ACKに対するPUCCHのリソース割当に関するPUCCHリソース割当情報に基づいて、SR及びHARQ-ACKを送信するPUCCHリソースを算出する。そして、制御部２０９は、算出したPUCCHリソースに関する情報を信号割当部２１２へ出力する。
【００６７】
また、制御部２０９は、後述する方法により、端末２００が実際にSR及びHARQ-ACKを送信するPUCCHに対する時間・周波数リソース及び系列を決定し、決定した情報を信号割当部２１２及び送信部２１４へ出力する。
【００６８】
SR生成部２１０は、端末２００が上りリンク伝送に対する無線リソースの割当を基地局１００に要求する場合にSRを生成し、生成したSR信号を信号割当部２１２へ出力する。
【００６９】
HARQ-ACK生成部２１１は、誤り検出部２０８から入力される誤り検出結果に基づいて、受信した下りリンクデータに対するHARQ-ACK信号（ACK又はNACK）を生成する。HARQ-ACK生成部２１１は、生成したHARQ-ACK信号（ビット系列）を信号割当部２１２へ出力する。
【００７０】
信号割当部２１２は、SR生成部２１０から入力されるSR信号、又は、HARQ-ACK生成部２１１から入力されるHARQ-ACK信号を、制御部２０９から指示される無線リソースにマッピングする。信号割当部２１２は、信号がマッピングされた上りリンク信号（例えば、上りリンク制御情報（UCI））をIFFT部２１３へ出力する。
【００７１】
IFFT部２１３は、信号割当部２１２から入力される信号に対して、OFDM等の送信波形生成処理を施す。IFFT部２１３は、CP（Cyclic Prefix）を付加するOFDM伝送の場合には、CPを付加する（図示せず）。または、IFFT部２１３がシングルキャリア波形を生成する場合には、信号割当部２１２の前段にDFT（Discrete Fourier Transform）部が追加されてもよい（図示せず）。IFFT部２１３は、生成した送信波形を送信部２１４へ出力する。
【００７２】
送信部２１４は、IFFT部２１３から入力される信号に対して、制御部２０９から入力される情報に基づく送信電力制御、D/A（Digital-to-Analog）変換、アップコンバート等のRF（Radio Frequency）処理を行い、アンテナ２０１を介して基地局１００に無線信号を送信する。
【００７３】
［基地局１００及び端末２００の動作］
以上の構成を有する基地局１００及び端末２００における動作について詳細に説明する。
【００７４】
図５は、本実施の形態に係る端末２００の処理のフローを示す。
【００７５】
本実施の形態では、PUCCH系列（例えば、CG系列）の系列番号（系列ID）は、セルIDに加えて、追加の識別情報（識別ID）を用いて決定される。
【００７６】
例えば、追加の識別情報は、サブセルに関連する情報（例えば、サブセルを識別するサブセルID）、ビームフォーミングを適用する無線通信システムではビームに関する情報（例えば、ビームを識別するビームID）、又は、初期アクセス（ランダムアクセス）に関連する情報等を用いてもよい。以下では、追加の識別情報を、サブセルに固有の情報である「サブセル固有情報」と呼ぶ。
【００７７】
なお、「サブセル」とは、後述する図６に示すように、例えば、１つのセル内において1つまたは複数のTRP毎に形成されるセルである（例えば、非特許文献４を参照）。また、サブセルは、1つのセル(またはTRP)に形成される1つまたは複数ビーム毎に形成されるセルとすることもできる。また、サブセルは、1つのセル(またはTRP)でシステム帯域内に複数の異なるNumerologyを持つサブバンドが形成される場合、それぞれのサブバンド毎に形成されるセルとすることもできる。また、サブセルは、セル内のカバレッジに応じて設定されるセルとすることもできる。
【００７８】
また、ランダムアクセスに関連する情報としては、例えば、ネットワークが端末２００に対してランダムアクセスを要求する「PDCCH order」によって通知されるランダムアクセスリソースに関する情報でもよく、端末２００からランダムアクセス手順が開始された場合には、端末２００が実際に用いたランダムアクセスリソース（時間、周波数、符号系列）に関する情報でもよい。
【００７９】
端末２００は、端末２００が属するセル（基地局１００）のセルID、及び、サブセル固有情報を特定する（ＳＴ１０１）。例えば、端末２００は、端末２００と通信を行うTRPに対応するサブセルID（端末２００が接続するサブセルのサブセルID）、端末２００が通信に使用するビームのビームID、及び、端末２００が通信に使用するランダムアクセスリソースを示す情報のうち少なくとも１つを特定する。
【００８０】
次に、端末２００は、セルID及びサブセル固有情報を用いて、PUCCH系列の系列番号を算出するための識別情報（以下、PUCCHに用いる識別IDと呼ぶ）を算出する（ＳＴ１０２）。そして、端末２００は、算出したPUCCHに用いる識別IDに基づいて、PUCCHリソース（PUCCH系列の系列番号）を決定する。
【００８１】
そして、端末２００は、決定したPUCCHリソースにUCI（HARQ-ACK、SR等）を割り当て（ＳＴ１０３）、PUCCHを基地局１００へ送信する（ＳＴ１０４）。
【００８２】
上述したように、LTEでは、セルIDが異なると、PUCCH系列のホッピングパターンを決定するランダム系列の初期値が異なる。本実施の形態でも、LTEと同様、セルID及びサブセル固有情報に基づいて決定されるPUCCHに用いる識別IDが異なると、PUCCH系列のホッピングパターンを決定するランダム系列の初期値が異なり、PUCCH系列が異なる。
【００８３】
すなわち、同一セル内（つまり、同一セルIDを用いる場合）の異なるTRPに対応するサブセル固有情報が互いに異なれば、これらの異なるTRPとの通信において使用されるPUCCH系列の系列番号を決定するための識別ID（セルID及びサブセル固有情報に基づいて決定する値）はそれぞれ異なり、PUCCH系列の系列番号を異ならせることができる。
【００８４】
したがって、同一セル内で複数のTRPが運用されているような環境においても、異なるTRPと通信する端末２００間では、異なるホッピングパターン（異なる系列番号）に基づいてPUCCH系列の割り当てを行うことができる。このため、各端末２００からそれぞれ送信されるPUCCHにおいて、同一のPUCCH系列が連続して衝突したり、衝突する複数の系列が常に同一であり干渉に偏りが生じたりすることを防止することができる。つまり、Short PUCCHの送信において干渉をランダム化することができ、干渉の影響を低減することにより、システム性能を向上することができる。
【００８５】
次に、ある時間単位nにおいて割り当てられるPUCCH系列の系列番号iの決定方法の一例について具体的に説明する。
【００８６】
ここでは、例えば、式（１）に従って、PUCCH系列の系列番号iが決定される。
i = f(n) mod Nsequence          (1)
【００８７】
式（１）において、f(n)はホッピングパターンである。f(n)は、例えば、非特許文献１の5.5.1.3節に示されるように、擬似ランダム系列を用いて生成される。また、Nsequenceは、PUCCH用に用意された系列数である（例えば、LTEでは30個）。
【００８８】
また、f(n)の生成に使用される擬似ランダム系列の生成方法は、例えば、非特許文献１の7.2節に規定されている。擬似ランダム系列は、例えば、式（２）の初期値cintに従って、ある時間区間毎に初期化される。式（２）において、初期値cintが異なれば、生成される擬似ランダム系列は異なる。
【数１】
2019031054.tif 000003
【００８９】
式（２）において、nIDは、上述したPUCCHに用いる識別IDである。PUCCHに用いる識別ID（nID）は、端末固有の上位レイヤ信号によって端末２００へ通知されてもよく、以下に示すようにセルID（nIDcell）とサブセル固有情報（nIDsubcell、nIDbeam、norderRA、及び、nindexRAの少なくとも１つ）を用いて端末２００で設定されてもよい。
nID= nIDcell + nIDsubcell
nID= nIDcell + nIDbeam
nID= nIDcell + norderRA
nID= nIDcell + nindexRA
【００９０】
nIDsubcellはサブセルIDを示し、nIDbeamはビームIDを示し、norderRAはネットワークが端末２００に対してランダムアクセスを要求するPDCCH orderにおいて通知されるランダムアクセスリソースに関する情報を示し、nindexRAは端末２００が実際に用いたランダムアクセスリソース（時間、周波数、符号系列）の番号を示す。また、PUCCHに用いる識別IDは、上述したサブセル固有情報を複数用いて設定されてもよい。
【００９１】
また、PUCCH系列をホッピングする時間単位nについては、シンボル単位、スロット単位、サブフレーム単位等などが一例として挙げられる。また、擬似ランダム系列を初期化する時間区間については、複数シンボル単位、スロット単位、複数スロット単位、サブフレーム単位、複数サブクレーム単位、無線フレーム単位等が一例として挙げられる。
【００９２】
図６、図７及び図８は、一例として、サブセル、ビーム及びランダムアクセスリソース（ＲＡリソース）によって、PUCCHに用いる識別IDが設定される様子をそれぞれ示す。
【００９３】
図６、図７及び図８に示すように、端末２００に対するPUCCHに用いる識別ID（nID）の設定に用いられるセルIDは、何れもセルＡのセルID（nIDcell A）である。
【００９４】
例えば、図６に示すように、端末２００は、サブセル1（サブセルID：nIDsubcell 1）に対応するTRP、サブセル2（サブセルID：nIDsubcell 2）に対応するTRP、及び、サブセル3（サブセルID：nIDsubcell 3）に対応するTRPのうち、端末２００が通信するTRPに応じて、PUCCHに用いる識別ID（nID）を設定する。図６において、nID(subcell1)、nID(subcell2)、nID(subcell3)は互いに異なる値である。
【００９５】
また、例えば、図７に示すように、端末２００は、ビーム1（ビームID：nIDbeam 1）、ビーム2（ビームID：nIDbeam 2）、及び、ビーム3（ビームID：nIDbeam 3）のうち、端末２００とTRPとの間の通信において使用されるビームに応じて、PUCCHに用いる識別ID（nID）を設定する。図７において、nID(beam1)、nID(beam2)、nID(beam3)は互いに異なる値である。
【００９６】
また、例えば、図８に示すように、端末２００は、ＲＡリソース1（nIDRA1）、ＲＡリソース2（nIDRA2）、及び、ＲＡリソース3（nIDRA3）のうち、端末２００が通信するTRPとの間において実際に使用されたランダムアクセスリソースに応じて、PUCCHに用いる識別ID（nID）を設定する。図８において、nID(RA1)、nID(RA2)、nID(RA3)は互いに異なる値である。
【００９７】
また、基地局１００は、端末２００と同様、端末２００が通信するTRPに対応するサブセル固有情報を用いて、端末２００から送信されるPUCCHが割り当てられるPUCCHリソース（PUCCH系列の系列番号）を特定する。そして、基地局１００は、決定したPUCCHリソースで送信されたPUCCH（UCI）を受信する。
【００９８】
このように、本実施の形態では、端末２００は、UCI（ACK、NACK又はSR等）に応じて、PUCCHに用いられる系列（PUCCH系列）を決定し、PUCCH系列を用いてUCIを送信する。この際、PUCCH系列は、端末２００が属するセルのセルID、及び、サブセル固有情報を用いて算出される。具体的には、サブセル固有情報は、PUCCH系列の系列番号のホッピングパターンに用いられる擬似ランダム系列の初期値の算出に使用される。
【００９９】
例えば、図６、図７、図８に示すように、同一セル内（同一セルID（nIDcell A））であっても、端末２００は、端末２００が通信するTRP（又はサブセル）に固有のサブセル固有情報を用いてPUCCH系列を決定することにより、同一セル内において異なるTRPと通信している端末２００からそれぞれ送信されるPUCCHに対して、異なるPUCCHリソースを割り当てて互いを区別することができる。
【０１００】
よって、本実施の形態によれば、同一セル内で複数のTRPが運用されているような環境でも、Short PUCCHの送信において干渉をランダム化することができ、干渉の影響を低減することができる。すなわち、本実施の形態によれば、１〜２ビットのUCIを含むPUCCHにおいて干渉を適切に制御することができる。
【０１０１】
（実施の形態２）
本実施の形態に係る基地局及び端末は、実施の形態１に係る基地局１００及び端末２００と基本構成が共通するので、図３及び図４を援用して説明する。
【０１０２】
実施の形態１では、サブセル固有情報に基づいて決定されるPUCCHリソースとして、PUCCH系列の系列番号iの設定方法について説明した。これに対して、本実施の形態では、PUCCHリソースとして、PUCCH（PUCCH系列）の巡回シフトパターン（つまり、各UCI（ACK/NACK、SR）と系列（巡回シフト）とのマッピング）の設定方法について説明する。
【０１０３】
本実施の形態では、実施の形態１と同様にして、PUCCHの巡回シフトパターンは、セルIDに加えて、サブセル固有情報を用いて決定される。
【０１０４】
実施の形態１と同様、サブセル固有情報は、例えば、サブセルID、ビームID、又は、初期アクセス（ランダムアクセス）に関連する情報等を用いてもよい。また、実施の形態１と同様、ランダムアクセスに関連する情報としては、例えば、ネットワークが端末２００に対してランダムアクセスを要求する「PDCCH order」によって通知されるランダムアクセスリソースに関する情報でもよく、端末２００が実際に用いたランダムアクセスリソース（時間、周波数、符号系列）に関する情報でもよい。
【０１０５】
すなわち、端末２００は、端末２００が属するセル（基地局１００）のセルＩＤ、及び、サブセル固有情報を特定し（図５に示すＳＴ１０１）、セルID及びサブセル固有情報を用いて、PUCCH系列（巡回シフトパターン）を算出するための識別情報（PUCCHに用いる識別ID）を算出し（図５に示すＳＴ１０２）、算出したPUCCHに用いる識別IDに基づいて、PUCCHリソース（PUCCHの巡回シフトパターン）を決定する。そして、端末２００は、決定したPUCCHリソースにUCI（HARQ-ACK及び/又はSR）を割り当て（図５に示すＳＴ１０３）、PUCCHを基地局１００へ送信する（図５に示すＳＴ１０４）。
【０１０６】
上述したように、LTEでは、セルIDが異なると、PUCCHの巡回シフトパターンに用いられるホッピングパターンを決定するランダム系列の初期値が異なる。本実施の形態でも、LTEと同様、セルID及びサブセル固有情報に基づいて決定されるPUCCHに用いる識別IDが異なると、上記ホッピングパターンを決定するランダム系列の初期値が異なり、巡回シフトパターンが異なる。
【０１０７】
すなわち、端末２００は、通信するTRPに対応するサブセル固有情報に応じて、PUCCHに用いる巡回シフトパターンをシフトする。これにより、同一セル内（つまり、同一セルIDを用いる場合）の異なるTRPに対応するサブセル固有情報が互いに異なれば、これらの異なるTRPとの通信において使用されるPUCCHの巡回シフトパターンを決定するための識別ID（セルID及びサブセル固有情報に基づいて決定する値）はそれぞれ異なり、巡回シフトパターンを異ならせることができる。
【０１０８】
したがって、同一セル内で複数のTRPが運用されているような環境においても、異なるTRPと通信する端末２００間では、異なるホッピングパターン（異なる巡回シフトパターン）に基づいてPUCCH系列の割り当てを行うことができる。このため、各端末２００からそれぞれ送信されるPUCCHにおいて、同一の巡回シフトパターンが連続して衝突したり、衝突する複数の巡回シフトパターンが常に同一であり干渉に偏りが生じたりすることを防止することができる。つまり、Short PUCCHの送信において干渉をランダム化することができ、干渉の影響を低減することにより、システム性能を向上することができる。
【０１０９】
次に、ある時間単位nにおいて割り当てられるPUCCHの巡回シフトパターンの決定方法の一例について具体的に説明する。
【０１１０】
なお、巡回シフトパターンは、例えば、図９（１ビットUCIの場合）及び図１０（２ビットUCIの場合）に示すように、巡回シフトのオフセットとして与えられてもよい。例えば、図９の右側の巡回シフトパターンは、図９の左側の巡回シフトパターンに対してオフセット２を加えたパターンである。また、図１０の右側の巡回シフトパターンは、図１０の左側の巡回シフトパターンに対してオフセット７を加えたパターンである。
【０１１１】
PUCCHの巡回シフトパターンは、例えば、非特許文献１の5.4節に示されているように、擬似ランダム系列を用いて生成される。擬似ランダム系列の生成方法は、例えば、非特許文献１の7.2節に規定されている。具体的には、擬似ランダム系列は、式（３）の初期値cintに従って、ある時間区間毎に初期化される。式（３）において、初期値cintが異なれば、生成される擬似ランダム系列は異なる。
cint=nID              (3)
【０１１２】
式（３）において、nIDは、上述したPUCCHに用いる識別情報である。式（３）において、PUCCHに用いる識別ID（nID）は、端末固有の上位レイヤ信号によって端末２００へ通知されてもよく、以下に示すようにセルID（nIDcell）とサブセル固有情報（nIDsubcell、nIDbeam、norderRA、及び、nindexRAの少なくとも１つ）を用いて端末２００で設定されてもよい。
nID= nIDcell + nIDsubcell
nID= nIDcell + nIDbeam
nID= nIDcell + norderRA
nID= nIDcell + nindexRA
【０１１３】
nIDsubcellはサブセルIDを示し、nIDbeamはビームIDを示し、norderRAはネットワークが端末２００に対してランダムアクセスを要求するPDCCH orderにおいて通知されるランダムアクセスリソースに関する情報を示し、nindexRAは端末２００が実際に用いたランダムアクセスリソース（時間、周波数、符号系列）の番号を示す。また、PUCCHに用いる識別IDは、上述したサブセル固有情報を複数用いて設定されてもよい。
【０１１４】
また、PUCCHの巡回シフトパターンをホッピングする時間単位nについては、シンボル単位、スロット単位、サブフレーム単位等などが一例として挙げられる。また、擬似ランダム系列を初期化する時間区間については、複数シンボル単位、スロット単位、複数スロット単位、サブフレーム単位、複数サブクレーム単位、無線フレーム単位等が一例として挙げられる。
【０１１５】
このように、本実施の形態では、端末２００は、UCI（ACK、NACK又はSR等）に応じて、PUCCHに用いられる系列（PUCCH系列）を決定し、PUCCH系列を用いてUCIを送信する。この際、PUCCH系列は、端末２００が属するセルのセルID、及び、サブセル固有情報を用いて算出される。具体的には、サブセル固有情報は、PUCCH系列に用いられる巡回シフトパターンのホッピングに用いられる擬似ランダム系列の初期値の算出に使用される。
【０１１６】
例えば、同一セル内（同一セルID）であっても、端末２００は、端末２００が通信するTRP（又はサブセル）に固有のサブセル固有情報を用いてPUCCH系列の巡回シフトパターンを決定することにより、同一セル内において異なるTRPと通信している端末２００からそれぞれ送信されるPUCCHに対して、干渉をランダム化することができ、干渉の影響を低減することができる。すなわち、本実施の形態によれば、１〜２ビットのUCIを含むPUCCHにおいて干渉を適切に制御することができる。
【０１１７】
なお、本実施の形態で説明した巡回シフトパターンのホッピングと、実施の形態１で説明したPUCCH系列のホッピング（系列ホッピング）とを併用してもよい。巡回シフトパターンのホッピングと、系列ホッピングとを併用した場合、系列ホッピングを適用する時間単位と、巡回シフトホッピングを適用する時間単位とは同一もよく、異なってもよい。例えば、系列ホッピングがスロット単位で行われ、巡回シフトホッピングがシンボル単位で行われてもよい。また、擬似ランダム系列を初期化する時間区間についても、系列ホッピングと巡回シフトホッピングとで同一でもよく、異なってもよい。また、PUCCHに用いる識別ID（nID）についても、系列ホッピングと巡回シフトホッピングとで同一でもよく、異なってもよい。これにより、同一セル内において異なるTRPと通信している端末２００からそれぞれ送信されるPUCCHに対して、異なる系列番号又は異なる巡回シフトパターンを割り当てることができ、干渉の影響を低減することができる。
【０１１８】
（実施の形態３）
Sequence selection方式では、1ビットUCIの場合、端末毎に、ACK without SR、NACK without SR、ACK with SR、及び、NACK with SRを送信するためのPUCCHリソース（巡回シフト系列）がそれぞれ予め確保される。同一端末へ割り当てる系列が同一のPRB内に存在する場合、1PRBに割り当てることができる12個のPUCCHリソース（巡回シフト系列）のうち、4つのPUCCHリソースが1つの端末へ割り当てられることになる。
【０１１９】
同様に、2ビットUCIの場合、端末毎に、ACK/ACK without SR、ACK/NACK without SR、NACK/ACK without SR、NACK/NACK without SR、及び、ACK/ACK with SR、ACK/NACK with SR、NACK/ACK with SR、NACK/NACK with SRを送信するためのPUCCHリソース（巡回シフト系列）がそれぞれ確保される。そのため、1PRBに割り当てることができる12個のPUCCHリソース（巡回シフト系列）のうち、端末あたりに割り当てられるPUCCHリソースは8個である。
【０１２０】
すなわち、理論的には、1PRB内では、最大で12個の巡回シフト系列を利用して、例えば、1ビットUCIの場合には最大で3UEまで多重することができる。しかし、この場合、12個全ての巡回シフト系列が利用されるため、上述した巡回シフトホッピングが適用されても、干渉のランダム化の効果は低くなってしまう。
【０１２１】
そこで、本実施の形態では、1PRB内に割り当て可能な系列（巡回シフト）の最大数を制限することにより、干渉の影響を低減する方法について説明する。
【０１２２】
本実施の形態に係る基地局及び端末は、実施の形態１及び２に係る基地局１００及び端末２００と基本構成が共通するので、図３及び図４を援用して説明する。
【０１２３】
図１１Ａ（1ビットUCIの場合）及び図１１Ｂ（2ビットUCIの場合）は、1PRB内に割り当て可能な系列（巡回シフト）の最大数を8個に制限した場合の巡回シフトパターンの一例を示す。
【０１２４】
上述したように、1ビットUCIの場合、端末２００あたりに割り当てられるPUCCHリソースは4個であるので、図１１Ａにでは、1PRB内に最大2端末が多重される。また、上述したように、2ビットUCIの場合、端末２００あたりに割り当てられるPUCCHリソースは8個であるので、図１１Ｂでは、1PRB内に最大1端末が多重される。
【０１２５】
すなわち、図１１Ａ及び図１１Ｂでは、1PRB内の12個の巡回シフト系列のうち、4個の巡回シフト系列はPUCCH系列に使用されない。これにより、図１１Ａ及び図１１Ｂに示す巡回シフトパターンでは、PUCCH系列に用いられる巡回シフト系列の間隔を空けることができる。よって、この場合には、上述した巡回シフトホッピングが適用されることで、異なる巡回シフトパターンを用いる端末２００からそれぞれ送信されるPUCCHに対して異なる巡回シフト系列が割り当てられる可能性が高くなり、干渉のランダム化の効果を得ることができる。
【０１２６】
なお、1PRB内に割り当てる系列の最大数（図１１Ａ及び図１１Ｂでは8個）を制限する代わりに、1PRB内に割り当てる端末数が制限されてもよい。例えば、図１１Ａでは、1PRB内に割り当て可能な端末の最大数が２端末に制限され、図１１Ｂでは、1PRB内に割り当て可能な端末の最大数が１端末に制限されていると云える。
【０１２７】
また、1PRB内に割り当て可能な系列（巡回シフト）の最大数は8に限らず、例えば、端末多重数を1端末に制限してもよい。1ビットUCIの場合、1PRB内に割り当て可能な系列（巡回シフト）の最大数は4系列となり、2ビットUCIの場合、1PRB内に割り当て可能な系列(巡回シフト)の最大数は8系列となる。
【０１２８】
このように、本実施の形態によれば、巡回シフトパターンにおいて1PRB内に割り当て可能な系列（巡回シフト）（又は端末数）の最大数を制限することで、1PRB内の巡回シフトのうち、いくつかの巡回シフトはPUCCH系列として利用されない。PUCCH系列として利用されない巡回シフトは、異なる巡回シフトパターンにおけるPUCCH系列に対して利用することができる。よって、PUCCHリソースとして、同じ巡回シフトパターンを利用するPUCCH系列を削減することができる。これにより、本実施の形態によれば、干渉のランダム化の効果をより大きくできる。
【０１２９】
（実施の形態４）
本実施の形態では、ACK、NACK及びSR等の上り制御信号と、PUCCH（巡回シフト）とのマッピング設計に関して検討する。
【０１３０】
また、本実施の形態では、ACK、NACK及びSRの発生確率の違いに着目する。
【０１３１】
下りリンクHARQにおける初回パケット送信の目標誤り率は例えば10％程度である。このことから、確率的に、ACKの送信（発生確率）が多くなり、NACKの送信（発生確率）が少なくなる。そのため、NACKは、確率的に、多重される他の端末から送信されるACKによる悪影響を受けやすい。
【０１３２】
一例として、図１１Ａに示すマッピング方法では、ACKとNACKの発生確率から、端末1（UE1）がNACKを送信する場合、端末2（UE2）がACKを送信している確率が高い。そのため、基地局では、端末1から送信されたNACKは、端末2が送信する確率の高い巡回シフト（つまり、ACKに対応）と隣接する巡回シフトにマッピングされたACKとして誤って受信される確率が高くなる。
【０１３３】
このようなマッピング方法では、実施の形態２で説明したような巡回シフトパターンのシフトを適用しても、セル内の多重端末間の干渉の影響をランダム化することはできない。
【０１３４】
そこで、本実施の形態では、ACK/NACK又はSRが多重される端末間において、ACK、NACK及びSRと、PUCCH（巡回シフト）とのマッピングを異ならせる。このようにすることで、巡回シフト間で発生する多重端末からの干渉の影響をランダム化できる。
【０１３５】
本実施の形態に係る基地局及び端末は、実施の形態１に係る基地局１００及び端末２００と基本構成が共通するので、図３及び図４を援用して説明する。
【０１３６】
図１２Ａ及び図１２Ｂは、ACK/NACK又はSRが多重される端末1,2（UE1,2）の各々における、ACK、NACK及びSRと、PUCCH（巡回シフト）とのマッピング方法の一例を示す。
【０１３７】
具体的には、図１２Ａ及び図１２Ｂにおいて、端末1に対するマッピングは図１１Ａに示すマッピングと同一である。
【０１３８】
一方、図１２Ａでは、図１１Ａに示す端末2に対するACK with SR、ACK without SR、NACK with SR、及び、NACK without SRの巡回シフトパターンにオフセット3を加えた巡回シフトパターンを示す。また、図１２Ｂは、図１１Ａに示す端末2に対するACK with SR、ACK without SR、NACK with SR、及び、NACK without SRの巡回シフトパターンにオフセット6（つまり、図１２Ａに示す巡回シフトパターンにオフセット3）を加えた巡回シフトパターンを示す。
【０１３９】
これにより、発生確率の高いACKは、発生確率の低いNACKがマッピングされる巡回シフトと隣接する巡回シフトにマッピングされる割合が高くなる。これにより、例えば、端末1（UE1）がNACKを送信する場合でも、基地局では、端末1から送信されたNACKが、端末2が送信する確率の高いACKに起因して、ACKとして誤って受信される確率が低くなる。
【０１４０】
次に、ACK、NACK及びSRの発生確率の違いを考慮した別のマッピング方法について説明する。具体的には、ACK、NACK及びSRの発生確率の違いを考慮して、上述した実施の形態２で説明した巡回シフトパターンのホッピングを適用する。
【０１４１】
例えば、図１３又は図１４に示すように、ACKに割り当てられる巡回シフトを含む領域（ACK領域）と、NACKに割り当てられる巡回シフトを含む領域（NACK領域）とを分離してもよい。
【０１４２】
この場合、巡回シフトパターンのホッピングは、ACK及びNACKの各々に対して行われる。すなわち、ACKに対してとりうる巡回シフトはACK領域内の巡回シフトであり、NACKに対してとりうる巡回シフトは、NACK領域内の巡回シフトである。
【０１４３】
また、図１３又は図１４に示すように、1PRB内に割り当て可能な12個の巡回シフト（0〜11）において、ACK領域の割合をNACK領域の割合と比較して高く設定してもよい。
【０１４４】
1PRB内に割り当て可能な巡回シフトにおいて、ACKに割り当てることができる巡回シフトの割合を高くすることで、ACKに対する巡回シフトパターン数が多くなるので、送信される確率の高いACKが複数の端末２００において同一の巡回シフトパターンで送信される確率を低減することができる。
【０１４５】
一方、1PRB内に割り当て可能な巡回シフトにおいて、NACKに割り当てることができる巡回シフトの割合が低くされると、NACKに対する巡回シフトパターン数が少なくなる。しかし、NACKが送信される確率は低いので、複数の端末２００においてNACKが同一の巡回シフトパターンで同時に送信される確率は低く、NACKを含むPUCCH同士が衝突する確率は低いので、システム性能に与える影響は小さい。
【０１４６】
このように、本実施の形態によれば、PUCCHを用いて送信されるACK及びNACKの発生確率に応じて、PUCCH系列（巡回シフト）のマッピングを設定することにより、Short PUCCHの送信において干渉をランダム化することができ、干渉の影響を低減することにより、システム性能を向上することができる。
【０１４７】
（実施の形態５）
本実施の形態では、ACK、NACK及びSRの目標誤り率の違いを考慮して、実施の形態２で説明した巡回シフトパターンのホッピングを適用する場合について説明する。
【０１４８】
本実施の形態に係る基地局及び端末は、実施の形態１に係る基地局１００及び端末２００と基本構成が共通するので、図３及び図４を援用して説明する。
【０１４９】
例えば、図１５及び図１６に示すように、ACKに割り当てる巡回シフトを含む領域（ACK領域）と、NACKに割り当てる巡回シフトを含む領域（NACK領域）とを分離する。
【０１５０】
この場合、巡回シフトパターンのホッピングは、ACK及びNACKの各々に対して行われる。すなわち、ACKに対してとりうる巡回シフトはACK領域内の巡回シフトであり、NACKに対してとりうる巡回シフトはNACK領域内の巡回シフトである。
【０１５１】
また、図１５及び図１６に示すように、1PRB内に割り当て可能な12個の巡回シフト（0〜11）において、NACK領域の割合をACK領域の割合と比較して高く設定する。
【０１５２】
1PRB内に割り当て可能な巡回シフトにおいて、NACKに割り当てることができる巡回シフトの割合を高くすることで、NACKに対する巡回シフトパターン数が多くなるので、目標誤り率の要求条件が高いNACKが複数の端末２００において同一の巡回シフトパターンで送信される確率を低減することができる。
【０１５３】
一方、1PRB内に割り当て可能な巡回シフトにおいて、ACKに割り当てることができる巡回シフトの割合が低くされると、ACKに対する巡回シフトパターン数が少なくなる。しかし、目標誤り率の要求条件が低いACKが複数の端末２００において同一の巡回シフトパターンで送信され、ACKを含むPUCCH同士の衝突が発生しても、システムへの影響はNACKと比較して少ない。
【０１５４】
このように、本実施の形態によれば、PUCCHを用いて送信されるACK及びNACKの目標誤り率（送信の信頼性）に応じて、PUCCH系列（巡回シフト）のマッピングを設定することにより、Short PUCCHの送信において干渉をランダム化することができ、干渉の影響を低減することにより、システム性能を向上することができる。
【０１５５】
以上、本開示の各実施の形態について説明した。
【０１５６】
［他の実施の形態］
（１）上記実施の形態では、上記実施の形態では、端末２００が送信する上りリンク制御情報（UCI）としてSR及びHARQ-ACKについて説明した。しかし、端末２００が送信する上りリンク制御情報は、SR及びHARQ-ACKに限定されず、他の上りリンク制御情報（例えば、CSI等）でもよい。
【０１５７】
（２）上記実施の形態では、PUCCHに用いる識別ID（nID）の算出の際にセルIDに追加で用いる識別情報（サブセル固有情報）として、サブセルID、ビームID及びランダムアクセスに関連する情報を一例とする場合について説明した。しかし、PUCCHに用いる識別IDの算出の際にセルIDに追加で用いる識別情報としては、これらの情報に限定されず、TRP毎に異なる値を採りうる他の情報でもよい。さらに、PUCCHに用いる識別IDの算出の際にセルIDに追加で用いる識別情報としては、初期アクセス（ランダムアクセス）の段階において端末２００に対して設定されている情報でもよい。
【０１５８】
（３）上記実施の形態では、Short PUCCHについて説明したが、上述した本開示の一態様は、Long PUCCHにおいて１〜２ビットのUCIが送信される場合に適用されてもよい。
【０１５９】
（４）本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６０】
本開示の端末は、上りリンク制御情報に応じて、上りリンク制御チャネルに用いられる系列を決定する回路と、前記系列を用いて前記上りリンク制御情報を送信する送信機と、を具備し、前記系列は、端末が属するセルを識別するセル識別情報、及び、前記セルに含まれる少なくとも１つのサブセルに関するサブセル固有情報を用いて決定される。
【０１６１】
本開示の端末において、前記サブセル固有情報は、前記端末が接続するサブセルを識別する情報、前記端末が通信に使用するビームを識別する情報、及び、前記端末が通信に使用するランダムアクセスリソースを示す情報のうち少なくとも１つを含む。
【０１６２】
本開示の端末において、前記サブセル固有情報は、前記系列の系列番号のホッピングに用いられる擬似ランダム系列の初期値の算出に使用される。
【０１６３】
本開示の端末において、前記サブセル固有情報は、前記系列に用いられる巡回シフトパターンのホッピングに用いられる擬似ランダム系列の初期値の算出に使用される。
【０１６４】
本開示の端末において、前記巡回シフトパターンは、端末毎に異なる。
【０１６５】
本開示の端末は、上りリンク制御情報に応じて、上りリンク制御チャネルに用いられる系列を決定する回路と、前記系列を用いて前記上りリンク制御情報を送信する送信機と、を具備し、前記上りリンク制御チャネルの１つのリソースブロック内に割り当て可能な前記系列の最大数が制限される。
【０１６６】
本開示の端末において、前記１つのリソースブロックは１２サブキャリアで構成され、前記最大数は８個である。
【０１６７】
本開示の端末において、前記１つのリソースブロックは１２サブキャリアで構成され、前記最大数は、前記上りリンク制御情報が１ビットの場合には４個であり、前記上りリンク制御情報が２ビットの場合には８個である。
【０１６８】
本開示の端末は、上りリンク制御情報に応じて、上りリンク制御チャネルに用いられる系列を決定する回路と、前記系列を用いて前記上りリンク制御情報を送信する送信機と、を具備し、前記上りリンク制御情報には、少なくともACK及びNACKが含まれ、前記系列に用いられる巡回シフトは、前記ACKに割り当てられる巡回シフトを含む第１領域と、前記NACKに割り当てられる巡回シフトを含む第２領域とに分離される。
【０１６９】
本開示の端末において、前記第１領域に含まれる巡回シフトの数は、前記第２領域に含まれる巡回シフトの数よりも多い。
【０１７０】
本開示の端末において、前記第２領域に含まれる巡回シフトの数は、前記第１領域に含まれる巡回シフトの数よりも多い。
【０１７１】
本開示の端末において、前記ACKに対する巡回シフトパターンのホッピングは前記第１領域に含まれる巡回シフトを用いて行われ、前記NACKに対する巡回シフトパターンのホッピングは前記第２領域に含まれる巡回シフトを用いて行われる。
【０１７２】
本開示の通信方法は、上りリンク制御情報に応じて、上りリンク制御チャネルに用いられる系列を決定し、前記系列を用いて前記上りリンク制御情報を送信し、前記系列は、端末が属するセルを識別するセル識別情報、及び、前記セルに含まれる少なくとも１つのサブセルに関するサブセル固有情報を用いて決定される。
【０１７３】
本開示の通信方法は、上りリンク制御情報に応じて、上りリンク制御チャネルに用いられる系列を決定し、前記系列を用いて前記上りリンク制御情報を送信し、前記上りリンク制御チャネルの１つのリソースブロック内に割り当て可能な前記系列の最大数が制限される。
【０１７４】
本開示の通信方法は、上りリンク制御情報に応じて、上りリンク制御チャネルに用いられる系列を決定し、前記系列を用いて前記上りリンク制御情報を送信し、前記上りリンク制御情報には、少なくともACK及びNACKが含まれ、前記系列に用いられる巡回シフトは、前記ACKに割り当てられる巡回シフトを含む第１領域と、前記NACKに割り当てられる巡回シフトを含む第２領域とに分離される。
【０１７５】
本開示の一態様は、移動通信システムに有用である。
【符号の説明】
【０１７６】
１００  基地局
１０１，２０９  制御部
１０２  データ生成部
１０３，１０７，１１０  符号化部
１０４  再送制御部
１０５，１０８，１１１  変調部
１０６  上位制御信号生成部
１０９  下り制御信号生成部
１１２，２１２  信号割当部
１１３，２１３  IFFT部
１１４，２１４  送信部
１１５，２０１  アンテナ
１１６，２０２  受信部
１１７，２０３  FFT部
１１８，２０４  抽出部
１１９  SR検出部
１２０  PUCCH復調・復号部
１２１  判定部
２００  端末
２０５  下り制御信号復調部
２０６  上位制御信号復調部
２０７  下りデータ信号復調部
２０８  誤り検出部
２１０  SR生成部
２１１  HARQ-ACK生成部
【図１】
2019031054.tif 000004
【図２】
2019031054.tif 000005
【図３】
2019031054.tif 000006
【図４】
2019031054.tif 000007
【図５】
2019031054.tif 000008
【図６】
2019031054.tif 000009
【図７】
2019031054.tif 000010
【図８】
2019031054.tif 000011
【図９】
2019031054.tif 000012
【図１０】
2019031054.tif 000013
【図１１Ａ】
2019031054.tif 000014
【図１１Ｂ】
2019031054.tif 000015
【図１２Ａ】
2019031054.tif 000016
【図１２Ｂ】
2019031054.tif 000017
【図１３】
2019031054.tif 000018
【図１４】
2019031054.tif 000019
【図１５】
2019031054.tif 000020
【図１６】
2019031054.tif 000021
【国際調査報告】
2019031054.tif 000022
2019031054.tif 000023
2019031054.tif 000024
2019031054.tif 000025
2019031054.tif 000026
2019031054.tif 000027
2019031054.tif 000028
2019031054.tif 000029